(57)【特許請求の範囲】
【請求項１】
セパレータの捌き面がフィードローラの周面よりもフィードローラの回転中心方向へ入り込むオーバーラップ量を適宜に形成して重ねられた紙葉類を一枚毎繰り出す紙葉類繰り出し装置において、
前記セパレータを固着して保持し、該セパレータの捌き面が前記フィードローラの周面よりもその回転中心方向へ入り込む方向又は逆方向へ移動可能に、支点を中心に該セパレータを保持する端部が回動するブラケットと、
該ブラケットの前記支点に対し前記セパレータを保持する端部とは反対側の端部に回転可能に配設され、多角形に形成された周面を備え、該多角形の平坦周面から回転軸までの垂直距離を夫々異なる所定の長さに形成され、これら平坦周面のいずれかが本体装置の基準面に当接して前記セパレータの捌き面と前記フィードローラの周面との前記オーバーラップ量を所望の値に設定する設定部材と、
前記ブラケットに一端を係止し他端を本体装置に係止して、前記設定部材の前記平坦周面のいずれかと前記本体装置の前記基準面との当接を固定して維持するよう、前記セパレータの捌き面が前記フィードローラの周面よりもその回転中心方向へ入り込む方向へ前記ブラケットを付勢する付勢部材と、
を有することを特徴とする紙葉類繰り出し装置。
【発明の詳細な説明】
【０００１】
【発明の属する技術分野】
本発明は、紙幣等の紙葉類を自動的に発券する自動発券機に係り、特に媒体である紙葉類を排出するフィードローラとセパレータの相互位置関係を正しく維持する紙葉類繰り出し装置に関する。
【０００２】
【従来の技術】
今日、銀行におけるキャッシュサービス、競馬場における自動払い戻し、パチンコ店等における高額紙幣から低額紙幣への交換サービス等では、処理の効率化や人件費の削減等の要請から、自動発券機による発券が広く行われている。
【０００３】
図５は、そのような自動発券機の主要部の概略の構成を示す側断面図である。同図に示す自動発券機は、繰出部１とトップユニット２とを備え、繰出部１には多枚数の紙葉類、例えば紙幣３を、重ねて立てた状態で収納部（図の左方）に保持している。この多枚数の紙幣３は特には図示しない適宜の押圧部材で給紙ローラ４に押圧されており、給紙ローラ４は、図の反時計回り方向に回転して、その周面に当接している最外側の紙幣３を下方に位置する繰り出し機構部５へ送り出す。繰り出し機構部５は、フィードローラ５−１、駆動ローラ５−２、及び同図には図示を省略しているが後述する加速ローラ、セパレータ等を備え、これらにより、上記給紙ローラ４により送り込まれる最外側の１枚の紙幣３のみを他の連れ送りされる紙幣から分離し、所定の枚数を計数しながら、図の右方のベルト６−１、６−２、６−３及び６−４からなる搬送路へ繰り出す。これら繰り出された紙幣３は、上方のトップユニット２へ順次送り出され、トップユニット２は、ベルト６−５及び６−６により紙幣３を挟持して不図示の積載室へ搬送し、これを一括して不図示の供給口から外部に排出する。
【０００４】
図６（ａ），（ｂ）  に、上記の繰り出し機構５の主要部のみを取り出して示す。図６（ａ）  は、図５と同様の側面図であり、図６（ｂ）  は、同図（ａ）  のＡ矢視図である。図６（ａ），（ｂ）  に示すように、繰り出し機構部５の主要部は、２個のフィードローラ５−１と、これら２個のフィードローラ５−１の中間に適宜の間隔をもって配置された１個の加速ローラ５−３とが、同軸に但し別個に回転可能に配設されている。加速ローラ５−３の斜め下方には駆動ローラ５−２が当接して、加速ローラ５−３を高速に回転駆動するように構成される。これら駆動ローラ５−２と加速ローラ５−３が当接している左方に位置して図５には図示を省略したセパレータブラケット７が配設されている。
【０００５】
セパレータブラケット７は、Ｌ字型をした支持部材であり、Ｌ字型の下端を支点７−１により本体装置の基台に支持されて、その支点７−１を中心にしてＬ字型の上端が左右に回動するように配設されている。その上端にベアリング８が配設され、更にセパレータ９が固定して配設されている。このセパレータブラケット７は、引きバネ１０によって常に右方に回動するように付勢されており、この付勢によって上記のベアリング８がフィードローラ５−１に当接する。この当接により、セパレータブラケット７のセパレータ９が、フィードローラ５−１及び加速ローラ５−３に対して位置決めされる。
【０００６】
セパレータ９は、その捌き面を、フィードローラ５−１と加速ローラ５−３とが間隔（間隙）を形成しているその間隙に対峙するように配置され、捌き面がフィードローラ５−１の周面よりも中心方向に所定の距離ｏｖだけ入り込んで位置決めされる。
【０００７】
図７は、上記セパレータ９と、フィードローラ５−１等との対峙部を更に拡大して、図６（ａ）  と同様に側面から示した図である。同図には、一例として、各部の寸法も添えて示してある。同図に示すように、フィードローラ５−１の直径は４０．００ｍｍ（ミリメータ）、ベアリング８の直径は９．７０ｍｍである。そして、これらの当接によって位置決めされたセパレータ９の捌き面９−１が上記フィードローラ５−１と加速ローラ５−３との間隙に入り込んでフィードローラ５−１の円周部と重なり合う（オーバーラップする）距離又は幅ｏｖは、０．０９ｍｍである。これは、およそ紙幣１枚分の厚さに対応する。  このような、構成において、上記フィードローラ５−１の中心線５−１ｃよりもやや下方の載置基準位置３ａに、図５に示したように、下端を引き揃えられた多枚数の紙幣３が、給紙ローラ４により図７に示すスライドガイド１１に沿って上述のオーバーラップ部に送りこまれ、最外側の紙幣１枚が、他の連れ送りされる紙幣から分離されて、図の右下方へ繰り出される。
【０００８】
図８（ａ）  は、上記繰り出し機構部５のオーバーラップ部の全体構成の概略図であり、同図（ｂ）  は、その側面図である。図６（ｂ）  に示した繰り出し機構は、図８（ａ）  に示すように、対になって夫々本体装置の両側に位置して配設されている。紙幣３は幅方向の両側部をこれら繰り出し機構の上述したフィードローラとセパレータによりそれぞれ挟持されて繰り出される。
【０００９】
同図（ｂ）  は、上記の載置基準位置３ａに下端を引き揃えらて最外側を加速ローラ５−３に当接させている紙幣束を示している。加速ローラ５−３は、周面が平滑な金属面であり、フィードローラ５−１よりも高速に回転してはいるが、当接している紙幣３との摩擦力は弱く、この状態では、上述した給紙ローラ４で給送されない限り繰り出し機構によって繰り出されることはない。
【００１０】
【発明が解決しようとする課題】
ところで、上述のフィードローラと紙幣との摩擦を利用した紙葉類計数機（紙葉類繰り出し装置）は、その繰り出し機構の性能上、セパレータとフィードローラとのオーバーラップ量の設定管理が極めて重要であるが、上述したように、オーバーラップ量の設定は、ベアリングをフィードローラに当接させることによって行っている。ところが、繰り出し機構部を紙幣が通過するたびにベアリングとフィードローラ間を紙幣が通過するから、セパレータが引きバネの付勢力に抗して紙幣の厚さ分だけオーバーラップ状態から離れる方向へ回動する。このため、オーバーラップ量が少なくなって、この結果、紙幣が重送（ダブルフィード）されるという問題がしばしば発生した。また、上記予め設定されるオーバーラップ量は工場において組み立てた時点で決定されており容易には変更できない。もし、取り扱う紙幣の種類が変更され、これに対応して上記のオーバーラップ量の設定を変更するときは、本体装置を分解してベアリングを取り外し、変更すべきオーバーラップ量に対応する新たなベアリングを取り付けて本体装置を組み立てることになり、手数がかかって面倒であるという問題が発生する。
【００１１】
本発明の課題は、紙葉類繰り出し中にセパレータとフィードローラのオーバラップ量が変動することがなく、且つ紙葉類の厚さに応じてオーバラップ量の変更が容易な紙葉類繰り出し装置を提供することである。
【００１２】
【課題を解決するための手段】
本発明は、セパレータの捌き面がフィードローラの周面よりもフィードローラの回転中心方向へ入り込むオーバーラップ量を適宜に形成して重ねられた紙葉類を一枚毎繰り出す紙葉類繰り出し装置を前提とする。
【００１３】
本発明の紙葉類繰り出し装置において、ブラケットは、上記セパレータを固着して保持し、セパレータの捌き面が上記フィードローラの周面よりもその回転中心方向へ入り込む方向又は逆方向へ移動可能に、支点を中心にセパレータを保持する端部が回動するように構成される。設定部材は、上記ブラケットの支点に対しセパレータを保持する端部とは反対側の端部に回転可能に配設され、多角形に形成された周面を備え、その多角形の平坦周面から回転軸までの垂直距離を夫々異なる所定の長さに形成され、これら平坦周面のいずれかが本体装置の基準面に当接するように構成される。付勢部材は、上記ブラケットに一端を係止し他端を本体装置に係止して、セパレータの捌き面がフィードローラの周面よりもその回転中心方向へ入り込む方向へ上記ブラケットを付勢するように構成される。
【００１４】
【発明の実施の形態】
以下、本発明の実施の形態を図面を参照しながら説明する。
図１（ａ）  は、一実施例に係わる自動発券機の主要部の構成を示す側断面図であり、同図（ｂ）  は、その繰り出し機構部の一部の図示を省略した正面図である。同図（ａ），（ｂ）  に示すように、自動発券機は、フィードローラ２１、２個のフィードローラ２１の中間にフィードローラ２１と所定の間隔をもって配設された加速ローラ２２、これらの間隔に形成される間隙に、捌き面２３−１を対向させて対峙するセパレータ２３、このセパレータ２３を横長のＬ字形の上端部に固着して保持し、その横長のＬ字形の下部を本体装置底部の基準面２６に沿って配置されたブラケット２４等からなる繰り出し機構部を備えている。
【００１５】
上記のブラケット２４は、セパレータ２３の捌き面２３−１がフィードローラ２１の周面よりもその回転中心方向へ入り込む方向（同図（ａ）  では右方向、同図（ｂ）  では上方向）とその逆方向とへ上記間隙内を移動可能であるように、支点２４−１を中心に上記セパレータ２３を保持する端部が回動する。
【００１６】
その支点２４−１に対し上記セパレータ２３を保持する端部とは反対側の端部すなわち本体装置底部の基準面２６に沿って配置されるＬ字形の下端には、多角形の周面を備えた設定ブロック２５が回転可能に配設されている。この設定ブロック２５は、詳しくは後述するが、上記多角形の各平坦周面から回転軸までの垂直距離が、平坦周面毎に夫々異なっている。設定ブロック２５は、それら平坦周面のいずれかが本体装置の基準面２６に当接するように形成されている。
【００１７】
上記ブラケット２４の支点２４−１とセパレータ２３を保持する端部との中間に、付勢部材としての引きバネ２８が１端を係止し、他端を本体装置に係止して、セパレータ２３の捌き面２３−１が上述したフィードローラ２１の周面よりもその回転中心方向へ入り込む方向へ、ブラケット２４を付勢している。
【００１８】
この繰り出し機構部のフィードローラ２１、加速ローラ２２等と、セパレータ２３、ブラケット２４等との間を、すだれ状に形成されたガイド２９が上下に屈曲しながら、前方（同図（ａ）  の左方）から後方（同図（ａ）  の右方）にかけて延設されている。ガイド２９の前端部には、紙幣束３１が縦に載置され、不図示の押圧部材により後方に位置するピックローラ（給紙ローラ）３２に圧接されている。ピックローラ３２の図の反時計回り方向の回転によって、ピックローラ３２に圧接されている最外側の紙幣３１が、繰り出し機構部の上述したフィードローラ２１とセパレータ２３との対峙部に給送される。
【００１９】
ピックローラ３２は、同軸に固着するギア３３、アイドルギア３４、プーリギア３５、歯付きベルト３６、モータギア３７を介してモータ３８の駆動軸に連結されており、モータ３８によって回転駆動される。
【００２０】
また、上記のアイドルギア３４には、フィードローラ２１と同軸に連結するギア４１が歯合しており、これによって、フィードローラ２１は、上記のピックローラ３２の回転と同時に同方向に回転して、上記対峙部に給送されてくる紙幣３をセパレータ２３と互い違いに挟持して、ガイド２９の後方に繰り出す。
【００２１】
ガイド２９の後方に繰り出された紙幣３は、繰り出し方向後端が上記対峙部による挟持から開放されると、高速に回転している加速ローラ２２によって更に後方へ送り出され、平行して互いに当接して縦方向に延設されている２本の回転ベルト４２及び４３により挟持され、上方に搬送されて、トップユニットの回転ベルト４５に搬送を引き継がれる。特には図示しないが、トップユニットの構成は、通常の発券機のトップユニットの構成と同様である。
【００２２】
上述の加速ローラ２２は、同軸に固着するギア４７、アイドルギア４８、ベルトギア４９、及び上述の回転ベルト４２を介して、トップユニットの回転ベルト４５を駆動する駆動輪５１に連結されている。これにより、加速ローラ２２はトップユニットの回転ベルト４５の回転と同時に図の反時計回り方向に高速に回転する。
【００２３】
このように、加速ローラ２２は、トップユニットの回転ベルト４５の駆動輪５１から駆動力を伝達されるので、図６（ａ）  に示した駆動ローラ５−２は、図１（ａ）  に示す本実施例では、加速ローラ２２に従動するピンチローラ５２として構成される。
【００２４】
図２（ａ）  に、上記ブラケット２４に係わる構成部分のみを取り出して示し、同図（ｂ）  に、その平面図を示す。尚、同図（ａ）  は、左に側面図、右にその後端部のみを背面図で示している。同図（ａ），（ｂ）  に示す構成の各部には、図１（ａ），（ｂ）  と同一の番号を付して示してある。
【００２５】
図２（ａ），（ｂ）  に示すように、ブラケット２４の下端に取り付けられる設定ブロック２５は、多角形（図の例では４角形で各角を切除してある）をしており、回転可能に配設され、基準面２６に当接する周面が決まると止めビス２７によってブラケッット２４の下端に固定される。これによって、セパレータ２３とフィードローラ２１とのオーバーラップ量ｏｖ１が設定される。
【００２６】
図３（ａ）  に、上記設定ブロック２５の回転位置（４角形のいずれかの周面が基準面２６に当接する位置）と、これに対応するセパレータ２３とフィードローラ２１とのオーバーラップ量ｏｖ１との関係を示し、同図（ｂ）  に、そのオーバーラップ量ｏｖ１を設定したときにおいて紙葉類繰り出し装置が処理可能な紙幣の国名を示す。
【００２７】
同図（ａ）  に示すように、設定ブロック２５は４つの設定状態ａ、ｂ、ｃ及びｄを有している。設定状態ａにおける設定ブロックの回転位置では、基準面２６に当接する周面と回転軸の中心とは距離ａ１だけ離れている。また、設定状態ｂにおける設定ブロックの回転位置では基準面２６に当接する周面と回転軸の中心とは距離ｂ１だけ離れている。同様に、設定状態ｃでは距離ｃ１、そして設定状態ｄでは距離ｄ１だけ基準面２６に当接する周面は回転軸の中心から夫々離れている。これらの距離ａ１、ｂ１、ｃ１及びｄ１は夫々異なっている。したがって、これら４つの設定状態ａ、ｂ、ｃ又はｄに対応してブラケット２４の下端が基準面２６に対して上下いずれかに移動する。すなわち、ブラケット２４は支点２４−１を中心にして回動する。この回動により、ブラケット上端に固着するセパレータ２３が上記の設定状態ａ、ｂ、ｃ又はｄに対応する所定のオーバーラップ量ｏｖ１をフィードローラ２１との間に形成する。図３（ａ）  に示す例では、上記の設定状態ａ、ｂ、ｃ及びｄに対応するオーバーラップ量ｏｖ１は、夫々０．３ｍｍ（ミリメータ）、０．２２ｍｍ、０．１４ｍｍ、及び０．３８ｍｍである。同図（ｂ）  は、これらのオーバーラップ量ｏｖ１の設定において、設定状態ａのオーバーラップ量０．３ｍｍで、アメリカのドル紙幣の繰り出し処理に対応することを示している。また、設定状態ｂのオーバーラップ量０．２２ｍｍでは、イギリスのポンド紙幣の繰り出し処理に対応することを示している。また、設定状態ｃ、ｄにおけるオーバーラップ量０．１４ｍｍ、０．３８ｍｍの場合も、同図（ｂ）  には示していないが所定の紙幣の繰り出し処理に対応している。
【００２８】
このように、設定ブロック２５の設定状態（回転位置）を変えるだけで、同図の例では４種類の厚さの紙幣に容易に対応することができる。勿論、設定ブロック２５の形状は四角形に限ることなく、五角形、六角形等、基準面２６に安定して当接する周面を形成できるのであれば何角形であってもよい。
【００２９】
上記のオーバーラップ量ｏｖ１は、紙幣の通過によっても変動することがなく、これによって繰り出し機構部は、連れ送りされる紙幣を強制的に捌いて１枚のみを安定して分離することができる。
【００３０】
このように、本実施例のオーバーラップ量設定の構成では、紙幣を常に強制的に捌いて１枚のみを安定して分離するので、フィードローラ２１を、より繰り出し機能の高い形状又は材質のものに変更したり、加速ローラ２２を、より搬送力のある形状又は材質のものに変更することができる。
【００３１】
図４（ａ），（ｂ）  は、フィードローラ２１及び加速ローラ２２の形状と材質を変更した例を模式的に示している。同図（ａ）  の側面図に示すように、本例では加速ローラ２２の直径よりもフィードローラ２１の直径のほうを大きく形成している。これにより、紙幣３１がフィードローラ２１に直接当接できるようになり、フィードローラ２１が回転を開始したとき直ちに紙幣３１の最外側の１枚が繰り出される。また、同図（ｂ）  に示すように、セパレータ２３と加速ローラ２２との間には、上記セパレータ２３とフィードローラ２１とのオーバーラップ量ｏｖ１よりも小さなオーバーラップ量ｏｖ２が形成されており、これによって、加速ローラ２２もセパレータ２３との間に紙幣３１を挟持する。そして、本実施例では、加速ローラ２２の周面の材質をゴム質の素材を用いて形成してある。これにより、上記繰り出される紙幣３１は、加速ローラ２２によって、より強力、且つ高速に繰り出し機構部の後方へ搬送される。このように、繰り出し及び搬送を強力に行っても、紙幣を捌くための上述したオーバーラップ量ｏｖ１及びｏｖ２が常に一定に保たれているので、紙幣３１を重送する虞がない。
【００３２】
【発明の効果】
以上説明したように、本発明によれば、セパレータとフィードローラのオーバーラップ量を一旦設定するとそのオーバラップ量が紙葉類繰り出し中に変動することがないので、安定した紙葉類の繰り出しを行うことができ、したがって、紙葉類を同時に二重に繰り出す不都合が解消されて作業効率が向上する。また、位置決めブロックにより複数のオーバラップ量の中から所望のものを設定できるので、本体装置を分解してベアリングを交換する等の作業を行うことなく厚さの異なる複数種類の紙葉類にも保守技術者による簡単な作業で容易に対応でき、したがって、汎用性の優れた紙葉類繰り出し装置を提供することが可能となる。また、一旦設定されたセパレータの位置は不変となるので、加速ローラやフィードローラの表面素材や径の大きさを変更しても従来のように繰り出し中のオーバラップ量に悪影響を与えることがなく、したがって、低温時の繰り出しや極厚の紙葉類の繰り出しに対応するよう加速ローラやフィードローラの表面素材や径の大きさを変更することができ、これにより、環境の異なる各国の多様な紙幣等にも夫々対応して安定した繰り出しを行うことが可能となる。
【図面の簡単な説明】
【図１】（ａ）  は一実施例に係わる自動発券機の主要部の構成を示す側断面図、（ｂ）  はその繰り出し機構部の正面図である。
【図２】（ａ）  はブラケットに係わる構成部分のみを取り出して示す図、（ｂ）  はその平面図である。
【図３】（ａ）  は設定ブロックの回転位置に対応するセパレータとフィードローラのオーバーラップ量の関係を示す図、（ｂ）  はその設定で処理が可能な紙幣の国名を示す図表である。
【図４】（ａ），（ｂ）  はフィードローラ及び加速ローラの形状と材質を変更した例を模式的に示す図である。
【図５】従来の自動発券機の主要部の概略の構成を示す側断面図である。
【図６】（ａ），（ｂ）  は従来の繰り出し機構の主要部のみ取り出して示した図である。
【図７】セパレータとフィードローラ等との対峙部を更に拡大して側面から示した図である。
【図８】（ａ）  は繰り出し機構部のオーバーラップ部の全体構成の概略図、（ｂ）  はその側面図である。
【符号の説明】
１    繰出部
２    トップユニット
３    紙葉類
３ａ  載置基準位置
４    給紙ローラ
５    繰り出し機構部
５−１  フィードローラ
５−１ｃ  フィードローラの中心線
５−２  駆動ローラ
６−１、６−２、６−３、６−４、６−５、６−６  ベルト
７    セパレータブラケット
８    ベアリング
９    セパレータ
９−１  捌き面
１０  引きバネ
１１  スライガイド
ｏｖ  オーバーラップ量
２１  フィードローラ
２２  加速ローラ
２３−１  捌き面
２３  セパレータ
２４  ブラケット
２４−１  支点
２５  設定ブロック
２６  基準面
２７  止めビス
２８  引きバネ
２９  ガイド
３１  紙幣（紙幣束）
３２  ピックローラ（給紙ローラ）
３３、４１、４７  ギア
３４、４８  アイドルギア
３５  プーリギア
３６  歯付きベルト
３７  モータギア
３８  モータ
４２、４３、４５  回転ベルト
４９  ベルトギア
５１  駆動輪
５２  ピンチローラ
【図１】
0003594710.tif 000002
【図２】
0003594710.tif 000003
【図３】
0003594710.tif 000004
【図４】
0003594710.tif 000005
【図５】
0003594710.tif 000006
【図６】
0003594710.tif 000007
【図７】
0003594710.tif 000008
【図８】
0003594710.tif 000009